【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
貯蔵システムであって、
貯蔵セルの第１のグリッド構造であって、各貯蔵セルは、貯蔵ビンの垂直スタックを収容するように配置され、前記第１のグリッド構造は、最上レベルを有する、第１のグリッド構造と、
前記第１のグリッド構造の前記最上レベルで水平に移動するように配置されている第１の車両と、
前記グリッド構造の前記最上レベルと送達ステーションとの間で垂直方向にビンを運搬するように配置されているビンリフト装置と
を備え、
前記第１の車両は、前記第１のグリッド構造の前記最上レベルで貯蔵セルから貯蔵ビンを受け取り、前記貯蔵ビンを前記ビンリフト装置に送達するようにさらに配置され、
前記ビンリフト装置は、貯蔵セルの前記第１のグリッド構造および貯蔵セルの第２のグリッド構造の最上レベルで前記車両からビンを受け取り、前記ビンを前記送達ステーションに運搬するように配置され、
貯蔵セルの前記第２のグリッド構造は、前記第１のグリッド構造とは異なる垂直レベルにあることと、
前記貯蔵システムは、前記第２のグリッド構造の最上レベルで水平に移動するように配置されている第２の車両をさらに備え、
前記第２の車両は、前記第２のグリッド構造の前記最上レベルで貯蔵セルから貯蔵ビンを受け取り、前記貯蔵ビンを前記ビンリフト装置に送達するようにさらに配置され、
前記ビンリフト装置は、前記第１のグリッド構造および前記第２のグリッド構造の前記最上レベルの間で垂直方向にビンを運搬するようにさらに配置され、
前記第２のグリッド構造は、前記第１のグリッド構造の下方に配置されている、ことと
を特徴とする、貯蔵システム。
【請求項２】
前記第１および第２のグリッド構造は、建築物内の別個の階または中２階に配置されている、請求項１に記載の貯蔵システム。
【請求項３】
前記送達ステーションは、前記第２のグリッド構造のレベルの下方に配置されている、請求項１〜２のうちの１項に記載の貯蔵システム。
【請求項４】
前記送達ステーションは、建築物内の１階に配置されている、請求項３に記載の貯蔵システム。
【請求項５】
前記第１のグリッド構造の前記最上レベルで移動するように配置され、前記第１のグリッド構造の前記最上レベルで貯蔵セルから貯蔵ビンを受け取るように配置されている追加の車両をさらに備えている、請求項１〜４のうちの１項に記載の貯蔵システム。
【請求項６】
前記第２のグリッド構造の前記最上レベルで移動するように配置され、前記第２のグリッド構造の前記最上レベルで貯蔵セルから貯蔵ビンを受け取るように配置されている追加の車両をさらに備えている、請求項１〜５のうちの１項に記載の貯蔵システム。
【請求項７】
貯蔵セルの少なくとも１つの追加のグリッド構造をさらに備え、前記少なくとも１つの追加のグリッド構造は、前記システム内の他のグリッド構造の垂直レベルとは異なる垂直レベルで配置されている、請求項１〜６のうちの１項に記載の貯蔵システム。
【請求項８】
前記第１のグリッド構造は、上グリッド構造であり、前記第２のグリッド構造は、中間グリッド構造であり、前記少なくとも１つの追加のグリッド構造は、下グリッド構造を含む、請求項７に記載の貯蔵システム。
【請求項９】
前記グリッド構造のうちの少なくとも１つは、合同グリッドである、請求項７に記載の貯蔵システム。
【請求項１０】
少なくとも１つの追加のグリッド間ビンリフト装置をさらに備え、前記少なくとも１つの追加のグリッド間ビンリフト装置は、前記第１のグリッド構造の前記最上レベルで前記車両から貯蔵ビンを受け取り、前記貯蔵ビンを前記第２のグリッド構造の前記最上レベルへ垂直方向に運搬するように配置されている、請求項１〜９のうちの１項に記載の貯蔵システム。
【請求項１１】
前記グリッド間ビンリフト装置は、前記第２のグリッド構造の前記最上レベルで前記車両から貯蔵ビンを受け取り、前記貯蔵ビンを前記第１のグリッド構造の前記最上レベルへ垂直方向に運搬するようにさらに配置されている、請求項１０に記載の貯蔵システム。
【請求項１２】
制御ユニットと、前記制御ユニットと前記車両との間に無線通信を提供するように構成されているネットワーク通信デバイスとをさらに備えている、請求項１〜１１のうちの１項に記載の貯蔵システム。
【手続補正２】
【補正対象書類名】明細書
【補正対象項目名】００１０
【補正方法】変更
【補正の内容】
【００１０】
種々の実施形態の例示的な側面、構造、および動作を含む、さらなる可能な特徴が、添付図面を参照して以下で詳細に説明されている。図面中、類似参照番号は、同一の、または機能的に類似する要素を示す。
本願明細書は、例えば、以下の項目も提供する。
（項目１）
貯蔵システムであって、
貯蔵セルの第１のグリッド構造であって、各貯蔵セルは、貯蔵ビンの垂直スタックを収容するように配置され、前記第１のグリッド構造は、最上レベルを有する、第１のグリッド構造と、
前記第１のグリッド構造の前記最上レベルで水平に移動するように配置されている第１の車両と、
前記グリッド構造の前記最上レベルと送達ステーションとの間で垂直方向にビンを運搬するように配置されているビンリフト装置と
を備え、
前記第１の車両は、前記第１のグリッド構造の前記最上レベルで貯蔵セルから貯蔵ビンを受け取り、前記貯蔵ビンを前記ビンリフト装置に送達するようにさらに配置され、
前記ビンリフト装置は、前記第１のグリッド構造の前記最上レベルで前記車両からビンを受け取り、前記ビンを前記送達ステーションに運搬するように配置され、
前記貯蔵システムは、
前記第１のグリッド構造とは異なる垂直レベルにおける貯蔵セルの第２のグリッド構造と、
前記第２のグリッド構造の最上レベルで水平に移動するように配置されている第２の車両と
をさらに備えていることを特徴とし、
前記第２の車両は、前記第２のグリッド構造の前記最上レベルで貯蔵セルから貯蔵ビンを受け取り、前記貯蔵ビンを前記ビンリフト装置に送達するようにさらに配置され、
前記ビンリフト装置は、前記第１のグリッド構造および前記第２のグリッド構造の前記最上レベルの間で垂直方向にビンを運搬するようにさらに配置され、
前記第２のグリッド構造は、前記第１のグリッド構造の下方に配置されている、
貯蔵システム。
（項目２）
前記第１および第２のグリッド構造は、建築物内の別個の階または中２階に配置されている、項目１に記載の貯蔵システム。
（項目３）
前記ビンリフト装置は、前記第２のグリッド構造の前記最上レベルで前記車両からビンを受け取り、前記ビンを前記送達ステーションに運搬するように配置されている、項目１または２に記載の貯蔵システム。
（項目４）
前記第２のグリッド構造は、前記第１のグリッド構造の下方に配置され、前記送達ステーションは、前記第２のグリッド構造のレベルの下方に配置されている、項目３に記載の貯蔵システム。
（項目５）
前記送達ステーションは、建築物内の１階に配置されている、項目４に記載の貯蔵システム。
（項目６）
前記第１のグリッド構造の前記最上レベルで移動するように配置され、前記第１のグリッド構造の前記最上レベルで貯蔵セルから貯蔵ビンを受け取るように配置されている追加の車両をさらに備えている、項目１〜５のうちの１項に記載の貯蔵システム。
（項目７）
前記第２のグリッド構造の前記最上レベルで移動するように配置され、前記第２のグリッド構造の前記最上レベルで貯蔵セルから貯蔵ビンを受け取るように配置されている追加の車両をさらに備えている、項目１〜６のうちの１項に記載の貯蔵システム。
（項目８）
貯蔵セルの少なくとも１つの追加のグリッド構造をさらに備え、前記少なくとも１つの追加のグリッド構造は、前記システム内の他のグリッド構造の垂直レベルとは異なる垂直レベルで配置されている、項目１〜７のうちの１項に記載の貯蔵システム。
（項目９）
前記第１のグリッド構造は、上グリッド構造であり、前記第２のグリッド構造は、中間グリッド構造であり、前記少なくとも１つの追加のグリッド構造は、下グリッド構造を含む、項目８に記載の貯蔵システム。
（項目１０）
前記グリッド構造のうちの少なくとも１つは、合同グリッドである、項目８に記載の貯蔵システム。
（項目１１）
前記グリッド間ビンリフト装置は、前記第２のグリッド構造の前記最上レベルで前記車両から貯蔵ビンを受け取り、前記貯蔵ビンを前記第１のグリッド構造の前記最上レベルへ垂直方向に運搬するようにさらに配置されている、項目１〜１０のうちの１項に記載の貯蔵システム。
（項目１２）
少なくとも１つの追加のグリッド間ビンリフト装置をさらに備え、前記少なくとも１つの追加のグリッド間ビンリフト装置は、前記第１のグリッド構造の前記最上レベルで前記車両から貯蔵ビンを受け取り、前記貯蔵ビンを前記第２のグリッド構造の前記最上レベルへ垂直方向に運搬するように配置されている、項目１〜１１のうちの１項に記載の貯蔵システム。
（項目１３）
制御ユニットと、前記制御ユニットと前記車両との間に無線通信を提供するように構成されているネットワーク通信デバイスとをさらに備えている、項目１〜１２のうちの１項に記載の貯蔵システム。